【手続補正書】
【提出日】平成18年4月3日(2006.4.3)
【手続補正１】
【補正対象書類名】明細書
【補正対象項目名】特許請求の範囲
【補正方法】変更
【補正の内容】
【特許請求の範囲】
【請求項１】  互いに交差する複数のデータ線および複数の走査線と、
前記データ線および前記走査線の交差に対応して設けられた画素と、
所定期間毎に所定電位に対する電位の極性が反転する画像信号を前記複数のデータ線の各々に供給するとともに、各々が異なるタイミングで立ち上がる複数のパルス信号に基づいて、１水平期間毎に前記複数の走査線のうち所定本数の走査線を飛び越しつつ、前記複数の走査線の各々を選択する駆動回路部とを有し、
任意の１水平期間において、前記画像信号のうちの正極性電位の印加期間に対応するタイミングで立ち上がるパルス信号が供給される複数の走査線が互いに隣接するとともに、負極性電位の印加期間に対応するタイミングで立ち上がるパルス信号が供給される複数の走査線が互いに隣接するように、前記駆動回路部により駆動が行われることを特徴とする液晶装置。
【請求項２】  互いに交差する複数のデータ線および複数の走査線と、
前記データ線および前記走査線の交差に対応して設けられた画素と、
所定期間毎に所定電位に対する電位の極性が反転する画像信号を前記複数のデータ線の各々に供給するとともに、各々が異なるタイミングで立ち上がる複数のパルス信号に基づいて、１水平期間毎に前記複数の走査線のうち所定本数の走査線を飛び越しつつ、前記複数の走査線の各々を選択する駆動回路部とを有し、
１垂直期間において、前記所定電位に対して正極性の電位の画像信号が各前記データ線に印加される時間と、前記所定電位に対して負極性の電位の画像信号が各前記データ線に印加される時間とが略等しいことを特徴とする液晶装置。
【請求項３】  １垂直期間において、隣接する２本の走査線に対応する２つの画素群が、１垂直期間の５０％以上の時間、同極性の電位が書き込まれた状態にあることを特徴とする請求項１に記載の液晶装置。
【請求項４】  前記画像信号の前記所定電位に対する極性が反転する単位期間が、１水平期間であることを特徴とする請求項１に記載の液晶装置。
【請求項５】  前記複数の走査線の数を２ｍ本としたときに、前記駆動回路部が、所定の走査線に対して前記正極性電位の印加期間に対応するタイミングで立ち上がるパルス信号を供給した後、前記所定の走査線からｍ本分離れた走査線に対して前記負極性電位の印加期間に対応するタイミングで立ち上がるパルス信号を供給し、以降上記の動作を繰り返し、２水平期間毎に隣接する走査線に対応する画素群に同極性の電位を書き込むことを特徴とする請求項４に記載の液晶装置。
【請求項６】  前記複数の走査線の数を４ｍ本としたときに、前記駆動回路部が、所定の走査線に対して前記正極性電位の印加期間に対応するタイミングで立ち上がるパルス信号を供給し、前記所定の走査線からｍ本分離れた走査線に対して前記負極性電位の印加期間に対応するタイミングで立ち上がるパルス信号を供給し、前記所定の走査線から２ｍ本分離れた走査線に対して前記正極性電位の印加期間に対応するタイミングで立ち上がるパルス信号を供給し、前記所定の走査線から３ｍ本分離れた走査線に対して前記負極性電位の印加期間に対応するタイミングで立ち上がるパルス信号を供給し、以降上記の動作を繰り返し、４水平期間毎に隣接する走査線に対応する画素群に同極性の電位を書き込むことを特徴とする請求項４に記載の液晶装置。
【請求項７】  画像信号を一旦蓄えた後、前記走査線の走査順序に従って画素へ書き込む画像信号が読み出されるフレームメモリが備えられたことを特徴とする請求項５または６に記載の液晶装置。
【請求項８】  マトリクス状に配列して設けられた複数の画素と、前記複数の画素に画像信号を供給する駆動回路部とを備え、
上記駆動回路部は、画像信号と当該画像信号を遅延させた画像信号とを、１水平期間毎に交互に供給し、１垂直走査期間毎に前記画像信号の所定電位に対する極性を反転させることを特徴とする液晶装置。
【請求項９】  マトリクス状に配列して設けられた複数の画素と、上記画素に画像信号を供給する駆動回路部と、前記画像信号を記憶するメモリが備えられ、
上記駆動回路部は、１垂直走査期間分の画像信号をもとに、第１，第２の２つの１垂直走査期間分の画像信号を生成する際に、外部から入力された画像信号を第１の１垂直走査期間分の画像信号とし、前記外部から入力された画像信号を上記メモリに記憶させて上記外部から入力された画像信号に対して遅延させて第２の１垂直走査期間分の画像信号とし、前記第１，第２の１垂直走査期間分の画像信号を１水平期間毎に交互に出力するとともに、前記第２の１垂直走査期間分の画像信号の所定電位に対する電位の極性と前記第１の１垂直走査期間分の画像信号の電位の所定電位に対する極性とが逆極性になるようにすることを特徴とする液晶装置。
【請求項１０】  互いに交差する複数のデータ線及び複数の走査線と、前記複数のデータ線及び走査線の交差に対応して設けられた複数の画素と、これらの画素を制御する駆動回路部とを備え、
上記駆動回路部は、１水平期間毎に所定電位に対する極性が反転する画像信号を上記複数のデータ線の各々に供給するデータドライバと、クロック信号に同期してゲート出力パルスを順次シフトさせる走査ドライバとを有し、
上記走査ドライバには画像信号における１垂直期間内にｎ個のゲート出力パルスがそれぞれ異なるタイミングで入力され、前記ｎ個のゲート出力パルスがそれぞれ上記クロック信号に同期して上記走査ドライバにおいてシフトするとともに、各走査線には、順次パルスが立ち上がるｍ個のイネーブル信号のそれぞれと、前記ゲート出力パルスと、に基づいて出力される走査信号が供給されることを特徴とする液晶装置。
【請求項１１】  前記ｎ個のゲート出力パルスは、互いに前記画像信号の１／２垂直期間だけずれたタイミングで上記走査ドライバに入力される２つのパルスであり、
上記走査ドライバでは同時にパルスが立ち上がる前記２つのゲート出力パルスのそれぞれと、交互にパルスが立ち上がる第１，第２のイネーブル信号のそれぞれと、に基づいて、２つの走査信号が順次出力され、
前記２つの走査信号はそれぞれ、画像信号における１／２垂直期間に対応する分だけずれた位置にある各走査線に出力され、
前記複数の走査線を配列方向において第１及び第２の２つの領域に分けたときに、前記第１のイネーブル信号は前記第１の領域に配置された複数の走査線に割り当てられ、前記第２のイネーブル信号は前記第２の領域に配置された複数の走査線に割り当てられることを特徴とする請求項１０に記載の液晶装置。
【請求項１２】  前記ｎ個のゲート出力パルスは、前記画像信号の１／４垂直期間だけずれたタイミングで前記走査ドライバに入力される４つのパルスであり、
上記走査線ドライバでは同時にパルスが立ち上がる４つのゲート出力パルスと、順次パルスが立ち上がる第１〜第４の４つのイネーブル信号のいずれかとに基づいて４つの走査信号が順次出力され、
前記４つの走査信号はそれぞれ、画像信号における１／４垂直期間に対応する分ずつ、ずれた位置にある各走査線に出力され、
前記複数の走査線を配列方向に沿って第１から第４の４つの領域に分けたときに、前記第１から第４のイネーブル信号はそれぞれ前記第１から第４の領域のいずれかに配置された複数の走査線に割り当てられることを特徴とする請求項１０に記載の液晶装置。
【請求項１３】  前記ｎ個のゲート出力パルスは、前記画像信号の１／２垂直期間だけずれたタイミングで前記走査ドライバに入力される２つのパルスであり、
上記走査ドライバでは同時にパルスが立ち上がる前記２つのゲート出力パルスのそれぞれと、交互にパルスが立ち上がる第１，第２のイネーブル信号のそれぞれとに基づいて、２つの走査信号が順次出力され、
前記２つの走査信号はそれぞれ、画像信号における１／２垂直期間に対応する分だけずれた位置にある各走査線に出力され、
前記第１のイネーブル信号は前記複数の走査線のうち奇数番目の走査線に割り当てられ、前記第２のイネーブル信号は前記複数の走査線のうち偶数番目の走査線に割り当てられることを特徴とする請求項１０に記載の液晶装置。
【請求項１４】  前記画像信号を記憶するメモリが備えられ、
外部から入力された画像信号は上記データドライバに供給される一方、上記メモリに記憶され、
上記データドライバは、外部から入力された画像信号と、上記メモリから読み出された画像信号とを１水平期間毎に交互に前記データ線に供給し、上記メモリから読み出された画像信号の所定電位に対する極性と、上記外部から供給された画像信号の所定電位に対する極性とは互いに逆の極性であることを特徴とする請求項１０に記載の液晶装置。
【請求項１５】  互いに交差する複数のデータ線および複数の走査線と、前記データ線および前記走査線の交差に対応して設けられた画素とを有する液晶装置の駆動方法であって、
所定期間毎に所定電位に対する極性が反転する画像信号を前記複数のデータ線の各々に供給するとともに、各々が異なるタイミングで立ち上がる複数のパルス信号に基づいて、１水平期間毎に、前記複数の走査線のうち所定本数の走査線を飛び越しつつ前記複数の走査線の各々を選択し、
任意の１水平期間において、前記画像信号の前記所定電位に対する正極性電位の印加期間に対応するタイミングで立ち上がるパルス信号が供給される複数の走査線が互いに隣接し、前記所定電位に対する負極性電位の印加期間に対応するタイミングで立ち上がるパルス信号が供給される複数の走査線が互いに隣接するように駆動を行うことを特徴とする液晶装置の駆動方法。
【請求項１６】  １垂直期間において、前記所定電位に対して正極性の電位の画像信号が各前記データ線に印加される時間と、前記所定電位に対して負極性の電位の画像信号が各前記データ線に印加される時間とが等しいことを特徴とする請求項１５に記載の液晶装置の駆動方法。
【請求項１７】  １垂直期間において、隣接する２本の走査線に対応する２つの画素群に対して、１垂直期間の５０％以上の時間、同極性の電位を書き込むことを特徴とする請求項１５に記載の液晶装置の駆動方法。
【請求項１８】  前記画像信号の所定電位に対する極性が反転する単位期間を、１水平期間とすることを特徴とする請求項１５に記載の液晶装置の駆動方法。
【請求項１９】  前記複数の走査線の数を２ｍ本としたときに、所定の走査線に対して前記正極性電位の印加期間に対応するタイミングで立ち上がるパルス信号を供給した後、前記所定の走査線からｍ本分離れた走査線に対して前記負極性電位の印加期間に対応するタイミングで立ち上がるパルス信号を供給し、以降上記の動作を繰り返し、２水平期間毎に隣接する走査線に対応する画素群に同極性の電位を書き込むことを特徴とする請求項１８に記載の液晶装置の駆動方法。
【請求項２０】  前記複数の走査線の数を４ｍ本としたときに、所定の走査線に対して前記正極性電位の印加期間に対応するタイミングで立ち上がるパルス信号を供給し、前記所定の走査線からｍ本分離れた走査線に対して前記負極性電位の印加期間に対応するタイミングで立ち上がるパルス信号を供給し、前記所定の走査線から２ｍ本分離れた走査線に対して前記正極性電位の印加期間に対応するタイミングで立ち上がるパルス信号を供給し、前記所定の走査線から３ｍ本分離れた走査線に対して前記負極性電位の印加期間に対応するタイミングで立ち上がるパルス信号を供給し、以降上記の動作を繰り返し、４水平期間毎に隣接する走査線に対応する画素群に同極性の電位を書き込むことを特徴とする請求項１８に記載の液晶装置の駆動方法。
【請求項２１】  前記走査線の飛び越し走査を１００Ｈｚ以上の周波数で行うことを特徴とする請求項１５に記載の液晶装置の駆動方法。
【請求項２２】  画像信号が供給される複数の画素がマトリクス状に配列された液晶装置の駆動方法であって、
画像信号と画像信号を遅延させた画像信号とを、１水平期間毎に交互に供給するとともに、１垂直走査期間毎に前記画像信号の所定電位に対する極性を反転させることを特徴とする液晶装置の駆動方法。
【請求項２３】  画像表示領域にマトリクス状に配列され、画像信号が供給される複数の画素と、メモリとを備えた液晶装置の駆動方法であって、
１垂直走査期間分の画像信号をもとに第１，第２の１垂直走査期間分の画像信号を生成する際に、外部から入力された画像信号を第１の１垂直走査期間分の画像信号とし、前記外部から供給された画像信号を上記メモリに記憶させて上記外部から供給された画像信号に対して遅延させて第２の１垂直走査期間分の画像信号とし、前記第１，第２の１垂直走査期間分の画像信号を１水平期間毎に交互に出力して前記画素に供給し、前記第２の１垂直走査期間分の画像信号の所定電位に対する極性と前記第１の１垂直走査期間分の画像信号の所定電位に対する極性とを逆極性にすることを特徴とする液晶装置の駆動方法。
【請求項２４】  照明装置と、前記照明装置から射出される光を変調する光変調装置と、前記光変調装置により変調された光を投射する投射装置とを有する投射型表示装置であって、
前記光変調装置として、請求項１ないし６又は８ないし１４のいずれか一項に記載の液晶装置を備えたことを特徴とする投射型表示装置。
【請求項２５】  画像信号を一旦蓄えた後、前記走査線の走査順序に従って画素へ書き込む画像信号が読み出されるフレームメモリが備えられたことを特徴とする請求項２４に記載の投射型表示装置。
【手続補正２】
【補正対象書類名】明細書
【補正対象項目名】０００８
【補正方法】変更
【補正の内容】
【０００８】
【課題を解決するための手段】
上記の目的を達成するために、本発明の液晶装置は、互いに交差する複数のデータ線および複数の走査線と、前記データ線および前記走査線の交差に対応して設けられた画素と、所定期間毎に所定電位に対する電位の極性が反転する画像信号を前記複数のデータ線の各々に供給するとともに、各々が異なるタイミングで立ち上がる複数のパルス信号に基づいて、１水平期間毎に前記複数の走査線のうち所定本数の走査線を飛び越しつつ、前記複数の走査線の各々を選択する駆動回路部とを有し、任意の１水平期間において、前記画像信号のうちの正極性電位の印加期間に対応するタイミングで立ち上がるパルス信号が供給される複数の走査線が互いに隣接するとともに、負極性電位の印加期間に対応するタイミングで立ち上がるパルス信号が供給される複数の走査線が互いに隣接するように、前記駆動回路部により駆動が行われることを特徴とする。
【手続補正３】
【補正対象書類名】明細書
【補正対象項目名】００１２
【補正方法】変更
【補正の内容】
【００１２】
また、本発明の液晶装置は、互いに交差する複数のデータ線および複数の走査線と、前記データ線および前記走査線の交差に対応して設けられた画素と、所定期間毎に所定電位に対する電位の極性が反転する画像信号を前記複数のデータ線の各々に供給するとともに、各々が異なるタイミングで立ち上がる複数のパルス信号に基づいて、１水平期間毎に前記複数の走査線のうち所定本数の走査線を飛び越しつつ、前記複数の走査線の各々を選択する駆動回路部とを有し、１垂直期間において、前記所定電位に対して正極性の電位の画像信号が各前記データ線に印加される時間と、前記所定電位に対して負極性の電位の画像信号が各前記データ線に印加される時間とが略等しいことを特徴とする。
この構成によれば、データ線をほぼ完全に交流化することが可能となり、またデータ線に接続されている、正極性に書き込まれた画素と、負極性に書き込まれた画素の数をほぼ同数にすることができるので、画面内におけるデータ線と画素電極の関係をより均一化することができる、という効果が得られる。
【手続補正４】
【補正対象書類名】明細書
【補正対象項目名】００１５
【補正方法】変更
【補正の内容】
【００１５】
また、前記画像信号の前記所定電位に対する極性が反転する単位期間が、１水平期間であることが望ましい。
本発明において、「前記画像信号の極性が反転する単位期間」は、１水平期間に限らず、例えば２水平期間、４水平期間など、複数の水平期間単位であっても本発明の作用、効果を得ることができる。しかしながら、１水平期間とした場合、全ての走査線を同じ状態にすることができる、という効果が得られる。逆に、１水平期間以外の場合は、その期間の最初に選択される走査線と最後に選択される走査線では、データ線と画素電極の関係に多少の差異が生じてしまう。
【手続補正５】
【補正対象書類名】明細書
【補正対象項目名】００１９
【補正方法】変更
【補正の内容】
【００１９】
また、画像信号を一旦蓄えた後、前記走査線の走査順序に従って画素へ書き込む画像信号が読み出されるフレームメモリが備えられていることが望ましい。
この構成によれば、フレームメモリによって画像データが一旦蓄えられた後、走査線の走査順序に従って画素へ書き込む画像データが読み出され、データ線に供給される。
【手続補正６】
【補正対象書類名】明細書
【補正対象項目名】００２０
【補正方法】変更
【補正の内容】
【００２０】
また、本発明の液晶装置は、マトリクス状に配列して設けられた複数の画素と、前記複数の画素に画像信号を供給する駆動回路部とを備え、上記駆動回路部は、画像信号と当該画像信号を遅延させた画像信号とを、１水平期間毎に交互に供給し、１垂直走査期間毎に前記画像信号の所定電位に対する極性を反転させることを特徴とする。
【手続補正７】
【補正対象書類名】明細書
【補正対象項目名】００２４
【補正方法】変更
【補正の内容】
【００２４】
また、本発明の液晶装置は、マトリクス状に配列して設けられた複数の画素と、上記画素に画像信号を供給する駆動回路部と、前記画像信号を記憶するメモリが備えられ、上記駆動回路部は、１垂直走査期間分の画像信号をもとに、第１，第２の２つの１垂直走査期間分の画像信号を生成する際に、外部から入力された画像信号を第１の１垂直走査期間分の画像信号とし、前記外部から入力された画像信号を上記メモリに記憶させて上記外部から入力された画像信号に対して遅延させて第２の１垂直走査期間分の画像信号とし、前記第１，第２の１垂直走査期間分の画像信号を１水平期間毎に交互に出力するとともに、前記第２の１垂直走査期間分の画像信号の所定電位に対する電位の極性と前記第１の１垂直走査期間分の画像信号の電位の所定電位に対する極性とが逆極性になるようにすることを特徴とする。このような構成とすることで、メモリ容量を少なくし、部材コストを低減することができる。
【手続補正８】
【補正対象書類名】明細書
【補正対象項目名】００２７
【補正方法】変更
【補正の内容】
【００２７】
また、前述の液晶装置を構成面から見た場合には、本液晶装置は以下のように特徴付けられる。すなわち、本発明の液晶装置は、互いに交差する複数のデータ線及び複数の走査線と、前記複数のデータ線及び走査線の交差に対応して設けられた複数の画素と、これらの画素を制御する駆動回路部とを備え、上記駆動回路部は、１水平期間毎に所定電位に対する極性が反転する画像信号を上記複数のデータ線の各々に供給するデータドライバと、クロック信号に同期してゲート出力パルスを順次シフトさせる走査ドライバとを有し、上記走査ドライバには画像信号における１垂直期間内にｎ個のゲート出力パルスがそれぞれ異なるタイミングで入力され、前記ｎ個のゲート出力パルスがそれぞれ上記クロック信号に同期して上記走査ドライバにおいてシフトするとともに、各走査線には、順次パルスが立ち上がるｍ個のイネーブル信号のそれぞれと、前記ゲート出力パルスと、に基づいて出力される走査信号が供給されることを特徴とする。なお、ｎ、ｍは２以上の整数を表わしている。
【手続補正９】
【補正対象書類名】明細書
【補正対象項目名】００２９
【補正方法】変更
【補正の内容】
【００２９】
また、前記ｎ個のゲート出力パルスは、互いに前記画像信号の１／２垂直期間だけずれたタイミングで上記走査ドライバに入力される２つのパルスであり、上記走査ドライバでは同時にパルスが立ち上がる前記２つのゲート出力パルスのそれぞれと、交互にパルスが立ち上がる第１，第２のイネーブル信号のそれぞれと、に基づいて、２つの走査信号が順次出力され、前記２つの走査信号はそれぞれ、画像信号における１／２垂直期間に対応する分だけずれた位置にある各走査線に出力され、前記複数の走査線を配列方向において第１及び第２の２つの領域に分けたときに、前記第１のイネーブル信号は前記第１の領域に配置された複数の走査線に割り当てられ、前記第２のイネーブル信号は前記第２の領域に配置された複数の走査線に割り当てられることが望ましい。
【手続補正１０】
【補正対象書類名】明細書
【補正対象項目名】００３１
【補正方法】変更
【補正の内容】
【００３１】
また、前記ｎ個のゲート出力パルスは、前記画像信号の１／４垂直期間だけずれたタイミングで前記走査ドライバに入力される４つのパルスであり、上記走査線ドライバでは同時にパルスが立ち上がる４つのゲート出力パルスと、順次パルスが立ち上がる第１〜第４の４つのイネーブル信号のいずれかとに基づいて４つの走査信号が順次出力され、前記４つの走査信号はそれぞれ、画像信号における１／４垂直期間に対応する分ずつ、ずれた位置にある各走査線に出力され、前記複数の走査線を配列方向に沿って第１から第４の４つの領域に分けたときに、前記第１から第４のイネーブル信号はそれぞれ前記第１から第４の領域のいずれかに配置された複数の走査線に割り当てられることが望ましい。
【手続補正１１】
【補正対象書類名】明細書
【補正対象項目名】００３３
【補正方法】変更
【補正の内容】
【００３３】
また、前記ｎ個のゲート出力パルスは、前記画像信号の１／２垂直期間だけずれたタイミングで前記走査ドライバに入力される２つのパルスであり、上記走査ドライバでは同時にパルスが立ち上がる前記２つのゲート出力パルスのそれぞれと、交互にパルスが立ち上がる第１，第２のイネーブル信号のそれぞれとに基づいて、２つの走査信号が順次出力され、前記２つの走査信号はそれぞれ、画像信号における１／２垂直期間に対応する分だけずれた位置にある各走査線に出力され、前記第１のイネーブル信号は前記複数の走査線のうち奇数番目の走査線に割り当てられ、前記第２のイネーブル信号は前記複数の走査線のうち偶数番目の走査線に割り当てられることが望ましい。
この構成では、映像信号における１垂直期間内において２つのゲート出力パルスが１／２画面分ずれた位置に立ち上がり、それぞれがクロック信号に同期して画像表示領域の上段側から下段側に向けてシフトしていく。
【手続補正１２】
【補正対象書類名】明細書
【補正対象項目名】００３５
【補正方法】変更
【補正の内容】
【００３５】
また、これらの構成では、前記画像信号を記憶するメモリが備えられ、外部から入力された画像信号は上記データドライバに供給される一方、上記メモリに記憶され、上記データドライバは、外部から入力された画像信号と、上記メモリから読み出された画像信号とを１水平期間毎に交互に前記データ線に供給し、上記メモリから読み出された画像信号の所定電位に対する極性と、上記外部から供給された画像信号の所定電位に対する極性とは互いに逆の極性であることが好ましい。このような構成とすることで、メモリ容量を少なくし、部材コストを低減することができる。
【手続補正１３】
【補正対象書類名】明細書
【補正対象項目名】００３７
【補正方法】変更
【補正の内容】
【００３７】
本発明の液晶装置の駆動方法は、互いに交差する複数のデータ線および複数の走査線と、前記データ線および前記走査線の交差に対応して設けられた画素とを有する液晶装置の駆動方法であって、所定期間毎に所定電位に対する極性が反転する画像信号を前記複数のデータ線の各々に供給するとともに、各々が異なるタイミングで立ち上がる複数のパルス信号に基づいて、１水平期間毎に、前記複数の走査線のうち所定本数の走査線を飛び越しつつ前記複数の走査線の各々を選択し、任意の１水平期間において、前記画像信号の前記所定電位に対する正極性電位の印加期間に対応するタイミングで立ち上がるパルス信号が供給される複数の走査線が互いに隣接し、前記所定電位に対する負極性電位の印加期間に対応するタイミングで立ち上がるパルス信号が供給される複数の走査線が互いに隣接するように駆動を行うことを特徴とする。
【手続補正１４】
【補正対象書類名】明細書
【補正対象項目名】００３９
【補正方法】変更
【補正の内容】
【００３９】
また、１垂直期間において、前記所定電位に対して正極性の電位の画像信号が各前記データ線に印加される時間と、前記所定電位に対して負極性の電位の画像信号が各前記データ線に印加される時間とが等しいことが望ましい。また、１垂直期間において、隣接する２本の走査線に対応する２つの画素群に対して、１垂直期間の５０％以上の時間、同極性の電位を書き込むことが望ましい。また、画像信号の所定電位に対する極性が反転する単位期間を１水平期間とすることが望ましい。
【手続補正１５】
【補正対象書類名】明細書
【補正対象項目名】００４３
【補正方法】変更
【補正の内容】
【００４３】
また、本発明の液晶装置の駆動方法は、画像信号が供給される複数の画素がマトリクス状に配列された液晶装置の駆動方法であって、画像信号と画像信号を遅延させた画像信号とを、１水平期間毎に交互に供給するとともに、１垂直走査期間毎に前記画像信号の所定電位に対する極性を反転させることを特徴とする。
【手続補正１６】
【補正対象書類名】明細書
【補正対象項目名】００４５
【補正方法】変更
【補正の内容】
【００４５】
また、このような液晶装置に、メモリを設け、外部から入力された画像信号とメモリから読み出された画像データとを用いて駆動を行なうようにしてもよい。
すなわち、本発明の液晶装置の駆動方法は、画像表示領域にマトリクス状に配列され、画像信号が供給される複数の画素と、メモリとを備えた液晶装置の駆動方法であって、１垂直走査期間分の画像信号をもとに第１，第２の１垂直走査期間分の画像信号を生成する際に、外部から入力された画像信号を第１の１垂直走査期間分の画像信号とし、前記外部から供給された画像信号を上記メモリに記憶させて上記外部から供給された画像信号に対して遅延させて第２の１垂直走査期間分の画像信号とし、前記第１，第２の１垂直走査期間分の画像信号を１水平期間毎に交互に出力して前記画素に供給し、前記第２の１垂直走査期間分の画像信号の所定電位に対する極性と前記第１の１垂直走査期間分の画像信号の所定電位に対する極性とを逆極性にすることを特徴とする。
【手続補正１７】
【補正対象書類名】明細書
【補正対象項目名】００４７
【補正方法】変更
【補正の内容】
【００４７】
本発明の投射型表示装置は、照明装置と、前記照明装置から射出される光を変調する光変調装置と、前記光変調装置により変調された光を投射する投射装置とを有する投射型表示装置であって、前記光変調装置として、上記本発明の液晶装置を備えたことを特徴とする。また、画像信号を一旦蓄えた後、前記走査線の走査順序に従って画素へ書き込む画像信号が読み出されるフレームメモリが備えられることが好ましい。
この構成によれば、上記本発明の液晶装置を備えたことで表示品位に優れた投射型表示装置を実現することができる。
【手続補正１８】
【補正対象書類名】図面
【補正対象項目名】図１８
【補正方法】変更
【補正の内容】
【図１８】
2004177930.tif 000001